(57)【特許請求の範囲】
【請求項１】
天板および底板と、それらの間に設けられた側枠板とから構成される筐体を含み、その筐体内に音響用電気機器が収納される音響用電気機器の筐体防振構造において、
上記筐体を、その設置面から所定高さに保持する筐体保持手段を備え、上記筐体保持手段が、上端が上記天板に固定され、下端側が上記底板に接することなく同底板を貫通して上記設置面に至る少なくとも３本の支柱からなり、上記底板には、上記支柱よりも実質的に大きな貫通孔が形成され、上記貫通孔と上記支柱との間には、防振材からなるスペーサが介装されていることを特徴とする音響用電気機器の筐体防振構造。
【請求項２】
上記支柱が金属材からなり、その下端が円錐状に形成されていることを特徴とする請求項１に記載の音響用電気機器の筐体防振構造。
【発明の詳細な説明】
【０００１】
【発明の属する技術分野】
本発明は、内部に音響用電気機器が収納される筐体の防振構造に関し、さらに詳しく言えば、設置面（床面）を伝わって到来する外部振動による音質への悪影響を効果的に排除する防振技術に関するものである。
【０００２】
【従来の技術】
音響用電気機器の一つとして、音響用電源コンセントボックスがある。この音響用電源コンセントボックスは、商用電源に接続されるＡＣインレットと、例えばアンプやチューナそれにプレーヤなどの各音響機器の電源回路が接続される複数のレセプタクルとを備え、ＡＣインレットから入力された商用電源を各レセプタクルから各音響機器の電源回路に分配する電源供給装置である。
【０００３】
音響機器では、このような電源コンセントボックスでさえ、外部からの振動（例えば、スピーカから床面を伝わって到来する振動）を受けると、音質に悪影響が出る。そこで、従来では電源コンセントボックス（筐体）の底部に、ゴム足もしくはゴム材と金属材とを組み合わせたインシュレータを取り付けて、外部からの振動を吸収するようにしている。
【０００４】
【発明が解決しようとする課題】
筐体の底部に取り付けられるインシュレータも、その材質面および形状・構造面の双方から種々の改良がなされているが、外来振動は一様ではないため、その振動を十分に吸収できるまでには至っていない。
【０００５】
【課題を解決するための手段】
上記の課題を解決するため、本発明は、天板および底板と、それらの間に設けられた側枠板とから構成される筐体を含み、その筐体内に音響用電気機器が収納される音響用電気機器の筐体防振構造において、上記筐体を、その設置面から所定高さに保持する筐体保持手段を備え、上記筐体保持手段が、上端が上記天板に固定され、下端側が上記底板に接することなく同底板を貫通して上記設置面に至る少なくとも３本の支柱からなり、上記底板には、上記支柱よりも実質的に大きな貫通孔が形成され、上記貫通孔と上記支柱との間には、防振材からなるスペーサが介装されていることを特徴としている。
【０００６】
すなわち、本発明によると、筐体は設置面（床面）に接している支柱により、その天板部分で支えられ、底板側がフローティング状態で低重心となるため、外来振動の影響を受けにくくなる。また、支柱が底板に接していないため、筐体の共振ｆｂと支柱の共振ｆｐとが打ち消し合い、インシュレート効果が高められることになる。
【０００７】
また、支柱は真鍮などの金属材からなり、支点を明確化する上で、その下端が円錐状に形成されていることが好ましい。
【０００８】
【発明の実施の形態】
次に、図１の一部破断斜視図および図２の断面図に示されている電源コンセントボックスを例にして、本発明の実施形態について説明する。
【０００９】
この電源コンセントボックス１０は、上枠板２０と下枠板３０とからなる箱形の筐体１１を備えている。この実施形態では、上枠板２０に天板部２１と側枠板部２２とが一体に含まれている。
【００１０】
すなわち、この実施形態では、天板部２１と側枠板部２２とが一体に形成されているが、天板部２１と側枠板部２２とを別々に形成し、それを組み合わせて上枠板２０としてもよい。下枠板３０は底板に相当し、ネジ３１によって側枠板部２２に固定されている。筐体１１は金属製、木製もしくは合成樹脂製のいずれであってもよいが、この実施形態ではアルミニウムの金属製としている。
【００１１】
天板部２１には、図示しない商用電源に接続される電源入力端子としてのＡＣインレット４１と、電源出力（分配）端子としての複数（この例では４個）のレセプタクル４２とが設けられている。ＡＣインレット４１は側枠板部２２側に設けられてもよい。
【００１２】
図示されていないが、ＡＣインレット４１と各レセプタクル４２のプラス極、マイナス極および接地極同士は線材もしくは銅帯板を介して接続されている。各レセプタクル４２には、図示しないアンプやチューナ、プレーヤなどの各音響機器の電源回路が接続される。
【００１３】
また、天板部２１には、この筐体１１を設置面（床面）Ｆから所定高さ位置に保持する支柱５０が取り付けられている。この支柱５０は真鍮などの金属からなり、その上端がネジ５１によって天板部２１に固定され、下端側は下枠板３０を貫通して設置面Ｆにまで延びている。
【００１４】
この実施形態では、支柱５０は４本として天板部２１の４角に配置されているが、少なくとも３本あればよい。なお、支柱５０の下端は、支点を明確化する上で、円錐状に形成されていることが好ましい。
【００１５】
下枠板３０には、支柱５０よりも実質的に大径の貫通孔３２が穿設されており、下枠板３０と支柱５０とが接しないようにしているが、その確実性を保証するため、この実施形態では、貫通孔３２内にはゴムなどの防振材からなるスペーサリング３３が嵌合されている。
【００１６】
この電源コンセントボックス１０は、支柱５０により設置面Ｆから所定の高さ位置に保持されることになるが、その支柱５０による支持面が、レセプタクル４２が取り付けられている筐体１１の天板部２１であるため、下枠板３０側がフローティング状態で低重心となるため、外来振動の影響を受けにくくなる。
【００１７】
また、支柱５０が下枠板（底板）３０に接していないため、筐体１１の共振ｆｂと支柱５０の共振ｆｐとが打ち消し合い、インシュレート効果が高められることになる。
【００１８】
【実施例】
次に、本発明の防振構造による効果を評価するため、５人の試聴者で実際に音の聞き比べを行なったので、その実施例１および比較例１，２について説明する。なお、各例とも試聴した音楽は、ボーカル物のポピュラーである。総合評価において、△はあまり良くない、○は良い方、◎は一番良いである。
【００１９】
〈比較例１〉
６口のレセプタクルを有する樹脂製筐体からなる電源タップ（オーディオテクニカ社製ＡＴ−ＰＴ６０２）を用いた場合の評価は次のとおり。
試聴者Ａ；細身の音で、ハイ上がり（高域のレベルが上がっている）、音の粒子が粗い。音場が上に定位する。横の音場はそこそこの感（総合評価△）。
試聴者Ｂ；中高域がさわやか、低域はしまっている、少し線が細い（総合評価△）。
試聴者Ｃ；かさついた音、声がくもり気味で、声の通り、出方が悪い（総合評価△）。
試聴者Ｄ；声が引っ込む、広がりが少ない、こもりがある（総合評価△）。
試聴者Ｅ；ハイ上がり、線が細い、硬質の音（総合評価△）。
【００２０】
〈比較例２〉
４口のレセプタクルを有するアルミニウム製筐体で、インシュレータとして底部４個所にゴム足を備えた電源コンセントボックスを用いた場合の評価は次のとおり。
試聴者Ａ；横の音場が広い、上記比較例１よりは低域がでる、声が少し苦しそう（総合評価○）。
試聴者Ｂ；ボリュームが上がった感じ、分解がよい、声が鼻音（総合評価○）。
試聴者Ｃ；直接音に近いが少し癖っぽい、空間再現は良好（総合評価◎）。
試聴者Ｄ；声が前に出る、バランス良好、広がりがある（総合評価○）。
試聴者Ｅ；硬質感がなくなり線が太くなる、少し鼻音、音に色付けされたような感あり（総合評価○）。
【００２１】
《実施例１》
４口のレセプタクルを有する本発明の支柱スパイクインシュレータ型電源コンセントボックスを用いた場合の評価は次のとおり。
試聴者Ａ；上下、横にも音場に広がりがあり、声はフラット（総合評価◎）。
試聴者Ｂ；上記比較例２よりもさらに生々しい、鼻音は抜けた（総合評価◎）。
試聴者Ｃ；上記比較例２より音の通りが少し悪い（総合評価○）。
試聴者Ｄ；癖がない、抜けがよい、バランスがとれていて定位がはっきりしている（総合評価◎）。
試聴者Ｅ；バランスがよい、一番直接音に近い（総合評価◎）。
【００２２】
このように試聴者５人中、４人が本発明による実施例１がベストであるとしており、本発明の電源コンセントボックスによれば、音質に対する外来振動の影響が少ないことが確認された。
【００２３】
なお、上記実施形態では電源コンセントボックスを例にしているが、本発明はこれに限定されない。本発明は、例えばアンプやＣＤプレーヤなどの他の音響用電気機器の筐体にも適用可能である。
【００２４】
【発明の効果】
以上説明したように、本発明によれば、天板および底板と、それらの間に設けられた側枠板とから構成され、その内部に音響用電気機器が収納される筐体において、設置面と直に接する支柱を筐体内に挿通して、筐体の天板側を支持するようにしたことにより、音質に対する外来振動の影響を最小限に抑えることができる。
【図面の簡単な説明】
【図１】本発明の実施形態に係る筐体を一部破断して示した斜視図。
【図２】上記筐体の模式的な断面図。
【符号の説明】
１０  電源コンセントボックス
１１  筐体
２０  上枠板
２１  天板部
２２  側枠板部
３０  下枠板（底板）
３２  貫通孔
３３  スペーサリング
４１  ＡＣインレット
４２  レセプタクル
５０  支柱
【図１】
0003769458.tif 000002
【図２】
0003769458.tif 000003